(57)【特許請求の範囲】
【請求項１】
ノンワイヤー型のカップ部、土台部、ストラップ、およびバック布を備えたカップ部を有する衣類であって、
前記カップ部および前記土台部が一体成型された一体成型部材であり、
前記カップ部の上部に、前記ストラップの一端が取り付けられ、
前記一体成型部材の脇部に前記バック布が取り付けられ、
前記バック布の取り付け幅が、前記一体成型部材の脇部長さの１／２以下であり、
前記一体成型部材を、前記土台部、下記の上カップ部および下記の下カップ部に分けた場合、前記土台部の厚み、下記上カップ部の厚みおよび下記の下カップ部の厚みが、
土台部＜上カップ部＜下カップ部の関係を有し、
バストトップ点から脇部に向けて伸ばした水平線と、バストトップ点から前記前中心部分に向けた傾線と、バージスラインとで囲まれる領域において、前記一体成型部材の厚みが、バストトップ点からバージスラインに向かい、徐々に厚くなり、バストトップ点からバージスラインに向かう方向の厚み最大部を経て徐々に薄くなることを特徴とするカップ部を有する衣類。
上カップ部：前記カップ部のストラップ取り付け位置とバストトップ点と前中心部分の上端部とを結ぶラインの上側の部分
下カップ部：前記カップ部のストラップ取り付け位置とバストトップ点と前中心部分の上端部とを結ぶラインの下側の部分
【請求項２】
ノンワイヤー型のカップ部、土台部、ストラップ、およびバック布を備えたカップ部を有する衣類であって、
前記カップ部および前記土台部が一体成型された一体成型部材であり、
前記カップ部の上部に、前記ストラップの一端が取り付けられ、
前記一体成型部材の脇部に前記バック布が取り付けられ、
前記バック布の取り付け幅が、前記一体成型部材の脇部長さの１／２以下であり、
前記一体成型部材を、前記土台部、下記の上カップ部および下記の下カップ部に分けた場合、前記土台部の厚み、下記上カップ部の厚みおよび下記の下カップ部の厚みが、
土台部＜上カップ部＜下カップ部の関係を有し、
バストトップ点から脇部に向けて伸ばした水平線と、バストトップ点から前記前中心部分に向けた傾線と、バージスラインとで囲まれる領域において、前記一体成型部材の厚みが、バージスラインの方向に沿って徐々に厚くなり、バージスラインに従った方向の厚み最大部を経て徐々に薄くなることを特徴とするカップ部を有する衣類。
上カップ部：前記カップ部のストラップ取り付け位置とバストトップ点と前中心部分の上端部とを結ぶラインの上側の部分
下カップ部：前記カップ部のストラップ取り付け位置とバストトップ点と前中心部分の上端部とを結ぶラインの下側の部分
【請求項３】
さらに、当て材を有し、前記当て材が、前記一体成型部材における前記カップ部のストラップ取り付け位置、バストトップ点、前中心部分の上端部を結ぶラインの下側領域の全部または一部に取り付けられていることを特徴とする請求項１または２記載のカップ部を有する衣類。
【請求項４】
前記当て材が布帛であることを特徴とする請求項３記載のカップ部を有する衣類。
【請求項５】
前記バストトップ点からバージスラインに向かう方向の厚み最大部が、バストトップ点からバージスラインに向かう方向の略中央部分を横断するバージスラインの相似曲線上にあり、
前記バージスラインに従った方向の厚み最大部が、前記水平線と前記傾線とで形成される角度を略等分する線上にある、請求項１から４のいずれか一項に記載のカップ部を有する衣類。
【請求項６】
前記当て材が、曲げ剛性が、０．１〜１．６ｇｆ・ｃｍ２／ｃｍの範囲内にある素材である、請求項３から５のいずれか一項に記載のカップ部を有する衣類。
【請求項７】
衣類がブラジャーである、請求項１から６のいずれか一項に記載のカップ部を有する衣類。
【請求項８】
衣類が、さらに衣類本体部を有し、前記衣類本体部が前記土台部の下に取り付けられている、請求項１から６のいずれか一項に記載のカップ部を有する衣類。
【発明の詳細な説明】
【技術分野】
【０００１】
本発明は、カップ部を有する衣類に関する。
【背景技術】
【０００２】
従来から、ファッション性を重視し、アウター感覚で着用することのできる、いわゆる「三角ブラ」に代表されるカップ部を有する衣類が使用されている。このタイプの衣類は、ファッション性とともに楽に着用できることも求められているため、ワイヤーを使用しないノンワイヤータイプのものが多い。
【０００３】
このタイプのカップ部を有する衣類の例を図１０に示す。図１０（ａ）は、三角ブラの斜視図であり、図１０（ｂ）は、前記三角ブラの背面図である。前記両図において、同一部分には同一符号を付している。図示のように、この三角ブラ１２０は、一対のカップ部１２１の両端に、一対のバック布１２３が取り付けられている。一対のバック布１２３の他端は、連結係止部１２５およびホック１２７により、係止可能になっている。カップ部１２１の上部とバック布１２３の背中側の上端には、ストラップ１２２の各端が、係止具１２６ａにより取り付けられている。ストラップ１２２には、長さを調節する調節部１２６ｂが取り付けられている。同図では、調節部１２６ｂとして、エイト環（８環）が使用されている。
【０００４】
このタイプの衣類は、カップ部１２１の両端に取り付けられているバック布１２３の取り付け部分（着用時の脇の部分）の幅が狭くなっていることが特徴の一つである。このような構成を有することで、露出度の高い服装においても、着こなしの幅を広げることができていた。その一方で、カップ部が三角形状であるとともにバック布の脇部分の幅が狭く、さらにノンワイヤータイプであるため、バストの脇の部分を抑えることが十分ではなく、脇部分からバストがはみ出しやすく、安定感およびバストの造形性に欠けがちであった。
そこで、カップ部にパッドを付加したり（例えば、特許文献１参照。）、ワイヤーをカップの外側から下側にかけての縁部に配置することで、バストの造形性を向上させることが提案されてきた（例えば、特許文献２参照。）。
【先行技術文献】
【特許文献】
【０００５】
【特許文献１】特許第４０３８３６９号公報
【特許文献２】実用新案登録第３０４８５６４号公報
【発明の概要】
【発明が解決しようとする課題】
【０００６】
しかしながら、単にパッドを付加しても、カップ部を有する衣類が浮き上がってしまい却って不自然な外観となったり、また、ワイヤーを配置することでデザイン上の制約や、着用時の締め付け感が生じ、本来のニーズに沿わない結果となりがちであった。
【０００７】
そこで、本発明は、「三角ブラ」に代表されるカップ部を有する衣類であって、ノンワイヤーであり、バック布の幅が狭いにもかかわらず、バストの造形性に優れ、安定感のあるカップ部を有する衣類を提供することを目的とする。
【課題を解決するための手段】
【０００８】
前記目的を達成するために、本発明のカップ部を有する衣類は、
ノンワイヤー型のカップ部、土台部、ストラップ、およびバック布を備えたカップ部を有する衣類であって、
前記カップ部および前記土台部が一体成型された一体成型部材であり、
前記カップ部の上部に、前記ストラップの一端が取り付けられ、
前記一体成型部材の脇部に前記バック布が取り付けられ、
前記バック布の取り付け幅が、前記一体成型部材の脇部長さの１／２以下であり、
前記一体成型部材を、前記土台部、下記の上カップ部および下記の下カップ部に分けた場合、前記土台部の厚み、下記上カップ部の厚みおよび下記の下カップ部の厚みが、
土台部＜上カップ部＜下カップ部の関係を有し、
バストトップ点から脇部に向けて伸ばした水平線と、バストトップ点から前記前中心部分に向けた傾線と、バージスラインとで囲まれる領域において、前記一体成型部材の厚みが、バストトップ点からバージスラインに向かい、徐々に厚くなり、バストトップ点からバージスラインに向かう方向の厚み最大部を経て徐々に薄くなる
ことを特徴とする。
上カップ部：前記カップ部のストラップ取り付け位置とバストトップ点と前中心部分の
上端部とを結ぶラインの上側の部分
下カップ部：前記カップ部のストラップ取り付け位置とバストトップ点と前中心部分の
上端部とを結ぶラインの下側の部分
また、本発明のカップ部を有する衣類は、
ノンワイヤー型のカップ部、土台部、ストラップ、およびバック布を備えたカップ部を有する衣類であって、
前記カップ部および前記土台部が一体成型された一体成型部材であり、
前記カップ部の上部に、前記ストラップの一端が取り付けられ、
前記一体成型部材の脇部に前記バック布が取り付けられ、
前記バック布の取り付け幅が、前記一体成型部材の脇部長さの１／２以下であり、
前記一体成型部材を、前記土台部、下記の上カップ部および下記の下カップ部に分けた場合、前記土台部の厚み、下記上カップ部の厚みおよび下記の下カップ部の厚みが、
土台部＜上カップ部＜下カップ部の関係を有し、
バストトップ点から脇部に向けて伸ばした水平線と、バストトップ点から前記前中心部分に向けた傾線と、バージスラインとで囲まれる領域において、前記一体成型部材の厚みが、バージスラインの方向に沿って徐々に厚くなり、バージスラインに従った方向の厚み最大部を経て徐々に薄くなることを特徴とする。
上カップ部：前記カップ部のストラップ取り付け位置とバストトップ点と前中心部分の
上端部とを結ぶラインの上側の部分
下カップ部：前記カップ部のストラップ取り付け位置とバストトップ点と前中心部分の
上端部とを結ぶラインの下側の部分
また、本発明のカップ部を有する衣類は、
ノンワイヤー型のカップ部、土台部、ストラップ、およびバック布を備えたカップ部を有する衣類であって、
前記カップ部および前記土台部が一体成型された一体成型部材であり、
前記カップ部の上部に、前記ストラップの一端が取り付けられ、
前記一体成型部材の脇部に前記バック布が取り付けられ、
前記バック布の取り付け幅が、前記一体成型部材の脇部長さの１／２以下であり、
前記一体成型部材を、前記土台部、下記の上カップ部および下記の下カップ部に分けた場合、前記上カップ部の厚みおよび前記土台部の厚みが前記下カップ部の厚みよりも薄くなる関係を有し、
バストトップ点から脇部に向けて伸ばした水平線と、バストトップ点から前記前中心部分に向けた傾線と、バージスラインとで囲まれる領域において、前記一体成型部材の厚みが、バストトップ点側から少しずつ厚くなり、バージスラインに沿うようにして厚み最大部が形成されていることを特徴とする。
上カップ部：前記カップ部のストラップ取り付け位置とバストトップ点と前中心部分の
上端部とを結ぶラインの上側の部分
下カップ部：前記カップ部のストラップ取り付け位置とバストトップ点と前中心部分の
上端部とを結ぶラインの下側の部分
【発明の効果】
【０００９】
本発明のカップ部を有する衣類は、前記のような構成であるため、ノンワイヤーでありバック布の幅が狭いにもかかわらず、バストの造形性に優れ、安定感のあるカップ部を有する衣類を提供することができる。
【図面の簡単な説明】
【００１０】
【図１】図１は、本発明のカップ部を有する衣類の一例のブラジャーを示す図である。（ａ）は斜視図、（ｂ）は側面図、（ｃ）は背面図である。
【図２】図２は、一体成型部材の一例を示す模式図である。
【図３】図３は、当て材の一例を示す模式図である。
【図４】図４は、一体成型部材に当て材を設けた状態の一例を示す図である。
【図５】図５は、一体成型部材に当て材を設けた状態のその他の例を示す図である。
【図６】図６は、一体成型部材のその他の例を示す模式図である。
【図７】図７は、本発明のカップ部を有する衣類の一例のブラジャーの使用状態を示す斜視図である。
【図８】図８は、着用評価におけるバストの等高線を示す図であり、（ａ）に本実施形態に係るブラジャーの等高線を、（ｂ）に従来品のワイヤー入りブラジャーの等高線を、（ｃ）に従来品のワイヤーなし三角ブラの等高線を示す。
【図９】図９は、本発明のカップ部を有する衣類のその他の例を示す斜視図である。（ａ）はボディスーツ、（ｂ）はブラスリップの一例である。
【図１０】図１０は、従来の三角ブラの一例を示す図である。（ａ）は斜視図、（ｂ）は背面図である。
【発明を実施するための形態】
【００１１】
本発明のカップ部を有する衣類において、前記バック布の取り付け幅が、前記一体成型部材の脇部長さの１／５〜１／２の範囲にあることが好ましい。前記取り付け幅は、より好ましくは１／４〜１／３の範囲である。本発明のカップ部を有する衣類は、前記バック布の取り付け幅が狭く、着用時の脇部分をあけることができるので、脇ぐりの深いノースリーブのアウターにも合わせることができるなど、アウターを選ばず着用できる。
【００１２】
本発明のカップ部を有する衣類において、前記前中心部分における上端部の前記土台部の最下部からの高さが５ｃｍ以下の範囲であることが好ましい。前記高さは、より好ましくは、３ｃｍ以下である。前記高さの下限は、特に限定されないが、例えば、０．５ｃｍ以上である。したがって、前記高さは、例えば、０．５ｃｍから５ｃｍの範囲が好ましく、より好ましくは、２ｃｍから３ｃｍの範囲である。本発明のカップ部を有する衣類は、前中心が極めて低いので、例えば、アウターの胸元がＶ字状に開いたデザインであっても、好適に着用することができる。
【００１３】
前述のとおり、本発明のカップ部を有する衣類において、前記一体成型部材を、前記土台部、下記の上カップ部および下記の下カップ部に分けた場合、前記土台部の厚み、下記の上カップ部の厚みおよび下記の下カップ部の厚みが、土台部＜上カップ部＜下カップ部の関係を有する。また、前述のとおり、本発明のカップ部を有する衣類において、前記一体成型部材を、前記土台部、下記の上カップ部および下記の下カップ部に分けた場合、前記上カップ部の厚みおよび前記土台部の厚みが前記下カップ部の厚みよりも薄くなる関係を有する。ここで、上カップ部とは、前記カップ部のストラップ取り付け位置とバストトップ点と前中心部分の上端部とを結ぶラインの上側の部分を指し、下カップ部とは、前記ラインの下側の部分を指す。
【００１４】
前述のとおり、本発明のカップ部を有する衣類において、バストトップ点から脇部に向けて伸ばした水平線と、バストトップ点から前記前中心部分に向けた傾線と、バージスラインとで囲まれる領域において、前記一体成型部材の厚みが、バストトップ点からバージスラインに向かい、徐々に厚くなり、バストトップ点からバージスラインに向かう方向の厚み最大部を経て徐々に薄くなる。
また、前述のとおり、本発明において、バストトップ点から脇部に向けて伸ばした水平線と、バストトップ点から前記前中心部分に向けた傾線と、バージスラインとで囲まれる領域において、前記一体成型部材の厚みが、バストトップ点側から少しずつ厚くなり、バージスラインに沿うようにして厚み最大部が形成されている。この場合、前記土台部側から前記厚み最大部に向かう部分の前記一体成型部材の厚みは、前記バストトップ点側よりも厚みの変化が大きくなるように形成されていることが好ましい。
【００１５】
前述のとおり、本発明のカップ部を有する衣類において、バストトップ点から脇部に向けて伸ばした水平線と、バストトップ点から前記前中心部分に向けた傾線と、バージスラインとで囲まれる領域において、前記一体成型部材の厚みが、バージスラインの方向に沿って徐々に厚くなり、バージスラインに従った方向の厚み最大部を経て徐々に薄くなる。
【００１６】
本発明のカップ部を有する衣類において、前記バストトップ点からバージスラインに向かう方向の厚み最大部が、バストトップ点からバージスラインに向かう方向の略中央部分を横断するバージスラインの相似曲線上にあり、前記バージスラインに従った方向の厚み最大部が、前記水平線と前記傾線とで形成される角度を略等分する線上にあることが好ましい。
【００１７】
本発明のカップ部を有する衣類において、さらに、当て材を有し、前記当て材が、前記一体成型部材における前記カップ部のストラップ取り付け位置、バストトップ点、前中心部分の上端部を結ぶラインの下側領域の全部または一部に取り付けられていることが好ましい。この場合において、前記当て材は、布帛であることが好ましい。また、前記当て材が、曲げ剛性が０．１〜１．６ｇｆ・ｃｍ２／ｃｍの範囲内にあることが好ましい。
【００１８】
本発明のカップ部を有する衣類において、衣類がブラジャーであることが好ましい。
【００１９】
本発明のカップ部を有する衣類において、衣類が、さらに衣類本体部を有し、前記衣類本体部が前記土台部の下に取り付けられていることが好ましい。
【００２０】
つぎに、本発明のカップ部を有する衣類について、例をあげて説明する。ただし、本発明は、以下の例に限定および制限されない。
【００２１】
図１に、本発明のカップ部を有する衣類の一例としてブラジャーを示す。本例においては、バック布１３は、着脱自在な連結係止部１５を背中心付近に有している。図１（ａ）は、バック布を係止した状態の本例のブラジャーの斜視図であり、図１（ｂ）は、バック布を係止した状態の本例のブラジャーの側面図であり、図１（ｃ）は、バック布を開いた状態の本例のブラジャーの背面図である。前記三図において、同一部分には、同一符号を付している。図示のように、本例のカップ部を有する衣類１０（ブラジャー）は、一対の一体成型部材１１、一対のストラップ１２、一対のバック布１３、および一対の当て材１４を主要構成要素とする。図２には、一体成型部材１１の一例の模式図を示す。一体成型部材１１は、ノンワイヤー型のカップ部が土台部と一体成型されたものである。前記一体成型部材１１は、カップ部のストラップ取り付け位置４４、バストトップ点４２、前中心部分の上端部４３を結ぶライン４５ａの上側の部分である上カップ部１１ａ、前記ライン４５ａの下側の部分である下カップ部１１ｂおよび土台部１１ｃからなる。前記下カップ部１１ｂと前記土台部１１ｃとの仮想境界線は、バージスラインと略一致する。前記土台部１１ｃがあることで、着用時に前記一体成型部材１１がバージスラインにフィットして、バック布の脇部分の幅が狭いデザインであっても、バストを安定に保持することができる。
【００２２】
前記一体成型部材１１を構成する上カップ部１１ａの上部には、ストラップ１２の一端が取り付けられている。カップ部を有する前記一対の一体成型部材１１は、土台部１１ｃで連結されている。前記土台部１１ｃの両端には、バック布１３の一端が取り付けられている。バック布１３の取り付け幅Ａは、前記一体成型部材１１の脇部長さＢの１／２以下である。一対のバック布１３の他端は、連結係止部１５が取り付けられて、着脱自在になっている。本例のブラジャーでは、連結係止具として、ホック３１（例えば、フック・アンド・アイ（鈎ホック））を使用しているが、他の種類の係止具を使用してもよく、また、バック布が係止部を有さないフロントホックタイプや、係止部がないタイプ、バック布を結んで係止するタイプであってもよい。ストラップ１２の他端は、バック布１３の上辺に取り付けられた円環の係止具１６ａを通って反転し、エイト環からなる長さ調節具１６ｂに導入されることによって、ストラップ１２の長さ調整が可能な状態で、ストラップ１２の他端側が、バック布１３の上辺に取り付けられている。ストラップの態様はこれに限定されず、例えば、カップ部のみにストラップが取り付けられている、いわゆる「ホルターネック」タイプであってもよい。
【００２３】
本例のブラジャーでは、前記一体成型部材１１は、乳房４１に図２に図示するような位置となる状態で着用される。このときに、カップ部のストラップ取り付け位置４４、バストトップ点４２、前中心部分の上端部４３を結ぶライン４５ａの下側の領域に前記当て材１４が設けられている。図３に当て材１４の一例の模式図を示す。図３（ａ）は、前記一体成型部材における前記カップ部のストラップ取り付け位置、バストトップ点、前中心部分の上端部を結ぶラインの下側領域の全部に取り付けられる場合の当て材の形状を示したものである。この場合、前記ライン４５ａが土台部下線に対する傾斜角θは、４５°付近であることが好ましい。また、図３（ｂ）は、前記ラインの下側領域の一部に取り付けられる場合の当て材の形状の一例である。この場合、当て材は、略Ｌ字形状であることが好ましい。
【００２４】
前記当て材１４の前中心部分の取り付け高さは任意であるが、より高い位置から取り付けられていることが好ましく、前記一体成型部材１１の前中心部分の上端部４３を含む領域で取り付けられていると、バストの造形力を安定して高めることができるため、より好ましい。なお、前記当て材１４は、前中心部分の上端部４３から上部に延長した仮想点４３ｂとバストトップ点４２とを結ぶライン４５ｂと、前記一体成型部材１１の上線との交点４６を覆うように取り付けられていることも好ましい。この態様の当て材の形状の一例を図３（ｃ）に示す。前中心部分の上端部４３の土台部の最下部からの高さが低いデザインの場合であっても、このような形状の当て材１４を用いると、バストの造形力を安定して高めることができる。
【００２５】
前記当て材１４は、カップ部を構成する素材に比べて形状安定性が高い素材を含んでいる。このような素材で構成することで、カップ部に張りやこしを付与し、バストの造形性や安定感を得ることができる。前記当て材１４は、布帛を使用することができ、この場合、具体的には、パワーネット、サテンネット、トリコネット等の素材がより好ましいが、これらに限定されない。形状安定性が高い素材であれば、伸縮性の素材であっても非伸縮性の素材であってもよい。一体成型部材の成型時に、成型材料と前記当て材とを重ねた状態で成型を行う場合には、伸縮性の素材を用いると、前記当て材のしわ等の発生を防ぐことができるので好ましい。
【００２６】
前記当て材１４は、曲げ剛性が、０．１〜１．６ｇｆ・ｃｍ２／ｃｍの範囲内にあると、形状を保持する力と衣類としての柔軟性とを両立させることができるため、好ましい。曲げ剛性は、０．５〜１．０ｇｆ・ｃｍ２／ｃｍの範囲内にあることがより好ましい。曲げ剛性は、長さ２０ｃｍ、幅１ｃｍの試料Ｓを１ｃｍの間隔でチャックで把持して曲げ、曲率Ｋ＝−２．５〜＋２．５（ｃｍ−１）の範囲で等速度曲率の純曲げを行い、その際の変形速度０．５（ｃｍ−１）／ｓｅｃとして、単位長さ当たりの曲げ剛性を測定して求める。この測定試験機としてカトーテック株式会社製のＫＥＳ−ＦＢ２−ＡＵＴＯ−Ａ（自動化純曲げ試験機）を用いることができる。
【００２７】
前記一体成型部材１１の厚みは、前記土台部１１ｃ、前記上カップ部１１ａ、前記下カップ部１１ｂ、の順に厚くなっている、すなわち、厚みが、土台部１１ｃ＜上カップ部１１ａ＜下カップ部１１ｂの関係を有することが好ましい。
【００２８】
さらに、前記ライン４５ａの下側の部分である下カップ部１１ｂ部分において、バストトップ点４２から脇部に向けて伸ばした水平線と、バストトップ点４２から前記前中心部分に向けた傾線と、バージスラインとで囲まれる領域において、前記一体成型部材１１の厚みが、バストトップ点４２からバージスラインに向かい、徐々に厚くなり、バストトップ点４２からバージスラインに向かう方向の厚み最大部を経て徐々に薄くなることが好ましい。特に、図６に示すように、バストトップ点４２から前中心部分に向けて４５°の角度で下した傾線と、バストトップ点４２から脇部に向けて伸ばした水平線とで囲まれる範囲で、バストトップ点４２から前記下カップ部１１ｂの下辺が形成するバージスライン８１に向かう方向の略中央部分を横断するバージスラインの相似曲線８２上に、前記一体成型部材のバストトップ点４２からバージスライン８１に向かう方向の厚み最大部８３が形成されていることが好ましい。
【００２９】
前記バストトップ点４２から脇部に向けて伸ばした水平線と、バストトップ点４２から前記前中心部分に向けた傾線と、バージスライン８１とで囲まれる領域において、前記一体成型部材１１の厚みが、バージスラインの方向に沿って徐々に厚くなり、バージスラインに従った方向の厚み最大部を経て徐々に薄くなることが好ましい。前記バージスラインに従った方向の厚み最大部８４は、前記水平線と前記傾線とで形成される角度を略等分する線上にあることがより好ましい。
【００３０】
前記一体成型部材の厚みは、バストトップ点からバージスラインに向かう方向の厚み最大部８３と、前記バージスラインに従った方向の厚み最大部８４との交点８５付近において、最も厚くなっていることが好ましい。最も厚い部分の厚みは、着用者のサイズや求める造形性に応じて設計可能であるが、２０ｍｍ程度あることが好ましい。最も厚い部分を前記の位置にすることにより、単なるボリュームアップ効果にとどまらず、バストを寄せて谷間を作るという良好な造形性を実現することができる。また、前記一体成型部材は、連続的に厚みが変化していることが、着用時のフィット感を高めることができ、また違和感や異物感を防ぐことができるので、好ましい。
【００３１】
また、前記一体成型部材１１の硬さは、前記土台部１１ｃ、前記上カップ部１１ａ、前記下カップ部１１ｂの順に柔らかいことが好ましい。すなわち、硬さが、下カップ部１１ｂ＜上カップ部１１ａ＜土台部１１ｃの関係を有することが好ましい。前記土台部１１ｃが比較的硬い構成をとることで、前記一体成型部材１１のバージスラインへのフィット性、固定性を高めることができる。そのため、ワイヤーがなく、かつ、バック布の脇部分の幅が狭いデザインであっても、着用時のずり上がりや、乳房の脇方向への広がりを防ぐことができる。また、上記のような段階的な硬さを有することで、着用時の違和感や異物感がなく、バストを安定に保持することができる。
【００３２】
上記の厚みと柔らかさを同時に実現するためには、前記一体成型部材１１を、例えば次の方法で作製することができる。前記一体成型部材１１は、ウレタンフォーム、不織布、あるいはポリウレタンなどの高弾性糸から編成された厚手シート状の丸編素材（ダンボールニット）等を使用することができるが、成型性、耐久性等の点からウレタンフォームが好ましい。均一な厚みの前記素材を用意し、所望の形状の金型を用いて圧縮成型を行う。成型後の厚みが薄い部分は、強く圧縮されるため硬く、成型後の厚みが厚い部分は、弱い圧縮であるため柔らかくなり、好適な厚みと柔らかさを備えた一体成型部材１１を得ることができる。
【００３３】
図４に、前記一体成型部材に当て材を設けた状態の一例を示す。図４（ａ）は、前記一体成型部材を背面（着用側）から見た模式図であり、図４（ｂ）は、図４（ａ）のΙ−Ιにおける断面図である。図４（ｂ）に示すように、本例においては、前記一体成型部材１１の中に挟み込まれた状態で、前記当て材１４が設けられている。このような構成とすることで、当て材が、直接肌に接するよりは、着用感を良くすることができる。本例の場合、一体成型部材の成型時に、部材の形成材料の中に当て材を挟み込んでおき、成型してもよい。
【００３４】
図５には、前記一体成型部材に当て材を設けた状態のその他の例を示す。図５（ａ）は、前記一体成型部材を背面（着用側）から見た模式図であり、図５（ｂ）は、図５（ａ）のΙΙ−ΙΙにおける断面図である。図５（ｂ）に示すように、本例においては、前記一体成型部材１１の内側表面に、前記当て材１４が設けられている。このような構成とすることで、当て材の有する形状安定力を、バストに直接に作用させることができる。
【００３５】
前記当て材は、下カップ部１１ｂの凹凸形状に沿わせて設けることが好ましい。この場合、例えば当て材にダーツ部を設ける等の方法を採用することができる。バストの造形力をより高めるためには、平面状の当て材を使用するとバストを押さえる力が強くなり、好ましい。
【００３６】
つぎに、本例のブラジャーの使用方法について、図７に基づき説明する。図７において、図１と同一部分には同一符号を付している。
【００３７】
図７は、本例のカップ部を有する衣類であるブラジャーの使用状態を示す斜視図であり、９１は使用者を示す。図示のように、通常のブラジャーと同様に、カップ部を有する一体成型部材１１で乳房が覆われている。本例のブラジャーでは、ワイヤーを使用していないものの、形状安定性が高い素材を含む前記当て材１４が設けられているため、前記一体成型部材１１で乳房を覆うことで優れたバストの造形性が得られる。また、ワイヤーがないため、乳房に違和感がない。
【００３８】
さらに、図１に示すタイプのブラジャーを作製し、モニターによる着用評価を行った。このブラジャーには、曲げ剛性が０．６ｇｆ・ｃｍ２／ｃｍのパワーネットを、当て材として使用した。モニターはＣ７０とし、ＢＳＩ（ボディステージＩ）が１９〜２４歳の３名、ＢＳIIが２７〜３６歳の５名について、試作品、従来品のワイヤー入りブラジャーおよび従来品のワイヤーなし三角ブラの着用試験を行った。図８に、前記３種類のブラジャーを着用した状態で写真撮影し、モアレ干渉縞による立体的な造型性を等高線で示し比較した結果を示す。図８（ａ）は本実施形態に係る試作品のブラジャー、図８（ｂ）は従来品のワイヤー入りブラジャー、図８（ｃ）は従来品のワイヤーなし三角ブラを、それぞれ同一モニターが着用した際の等高線である。本実施形態に係る試作品のブラジャーは、従来品のワイヤー入りブラジャーと比較して遜色ない程度のボリュームアップと寄せ上げ効果があることがわかる。また、モニターに着用感のコメントを求めたところ、８名中７名が「胸が造形できている」、８名中６名が「着用感が総合的に快適」と回答し、ワイヤーを使用していないにもかかわらず、ワイヤーブラジャーと同程度の造形感、安定感が実現されていることがわかった。
【００３９】
図９（ａ）には、本発明のカップ部を有する衣類のその他の例として、ボディスーツの斜視図を示す。
【００４０】
このボディスーツのブラジャー相当部分の態様は、図１で説明したブラジャーとほぼ同一の概念のもとに設計されているボディスーツである。本態様においては、一体成型部材１１の下側に、衣類本体部であるボディ部１０１とクロッチ部１０２を有している。本例では、ボディ部１０１の一部が本発明におけるバック布となっているが、バック布を別途設けてその下に衣類本体部を取りつけてもよい。その他の態様は図１に示したブラジャーと実質上同一であり、同一部分には同一の符号を付して、重複説明を省略している。図９（ａ）に示したボディスーツの実施の形態例においても、当て材１４が設けられており、好ましくは前記一体成型部材１１における厚みや硬さが前述の態様となっていることで、よりバストの造形性と着用安定性を高めることができる。
【００４１】
次に、図９（ｂ）に本発明のカップ部を有する衣類のその他の例として、ブラスリップの斜視図を示す。
【００４２】
このブラスリップのブラジャー相当部分の態様は、図１で説明したブラジャーとほぼ同一の概念のもとに設計されているブラスリップである。本態様においては、一体成型部材１１の下側に、胸下部身頃１１１と、さらにそれに連なってスカート部１１２を有している。本例では、胸下部身頃１１１が本発明におけるバック布である。バック布を別途設けてその下に胸下部身頃とスカート部を取りつけてもよいし、バック布の下に直接スカート部を取りつけてもよい。その他の態様は図１に示したブラジャーと実質上同一であり、同一部分には同一の符号を付して、重複説明を省略している。図９（ｂ）に示したブラスリップの実施の形態例においても、当て材１４が設けられており、好ましくは前記一体成型部材１１における厚みや硬さが前述の態様となっていることで、よりバストの造形性と着用安定性を高めることができる。
【００４３】
以上、実施の形態の具体例として、ブラジャー、ボディスーツ、ブラスリップをあげて本発明を説明したが、本発明のカップ部を有する衣類は、これらの具体例で記載されたもののみに限定されるものではなく、ブラジャー、ボディスーツ、ブラスリップ、ブラキャミソール、セパレートタイプの水着のトップ部、その他各種のカップ部を有する衣類に適用できる。
【産業上の利用可能性】
【００４４】
本発明のカップ部を有する衣類は、種々の態様が可能である。例えば、上記の実施形態のようなファンデーション衣類以外にも、ブラキャミソール、セパレートタイプの水着のトップ部、レオタード、その他各種のカップ部を有する衣類に適用できる。また、前中心を係脱自在のホックで連結するフロントホックタイプの衣類にも適用できる。
【符号の説明】
【００４５】
１０、１００、１１０  カップ部を有する衣類
１１  一体成型部材
１１ａ  上カップ部
１１ｂ  下カップ部
１１ｃ  土台部
１２、１２２  ストラップ
１３、１２３  バック布
Ａ  バック布の取り付け幅
Ｂ  一体成型部材の脇部長さ
１４  当て材
１５、１２５  連結係止部
１６ａ、１２６ａ  係止具
１６ｂ、１２６ｂ  長さ調節具
３１、１２７  ホック
４１  乳房
４２  バストトップ点
４３  前中心部分の上端部
４３ｂ  前中心部分の上端部から上部に延長した仮想点
４４  カップ部のストラップ取り付け位置
４５ａ  カップ部のストラップ取り付け位置とバストトップ点と前中心位置とを結ぶライン
４５ｂ  バストトップ点と前中心部分の上端部から上部に延長した仮想点とを結ぶライン
４６  ライン４５ｂと一体成型部材の上線との交点
８１  バージスライン
８２  バストトップ点からバージスラインに向かう方向の略中央部分を横断するバージスラインの相似曲線
８３  バストトップ点からバージスラインに向かう方向の厚み最大部
８４  バージスラインに従った方向の厚み最大部
８５  最も厚い領域
９１  使用者
１０１  ボディ部
１０２  クロッチ部
１１１  胸下部身頃
１１２  スカート部
１２０  三角ブラ
１２１  カップ部
【図１】
0005382560.tif 000002
【図２】
0005382560.tif 000003
【図３】
0005382560.tif 000004
【図４】
0005382560.tif 000005
【図５】
0005382560.tif 000006
【図６】
0005382560.tif 000007
【図７】
0005382560.tif 000008
【図８】
0005382560.tif 000009
【図９】
0005382560.tif 000010
【図１０】
0005382560.tif 000011